(57)【要約】【課題】  本発明は、ハードウェア上の制限が少なく、ユーザにとって操作負担の小さい、使い勝手の良い画像形成システムを提供することを目的とする。【解決手段】  本発明に係る画像形成システムは、スキャナを有する画像形成装置１と、画像形成装置１を制御するための画像形成制御アプリケーションを有する携帯電話端末２とが通信ネットワークで接続され、このアプリケーションは、携帯電話端末２が有する電子メールアプリケーションの操作画面と同じ操作画面を有する画像形成システムであって、携帯電話端末２は、画像形成制御アプリケーションを用いて、画像データの送信先情報１５１と、操作画面から入力された付加情報１６１とを、画像形成装置１に通知する処理内容通知手段１４０と、画像形成装置１は、スキャナから入力した画像データ１２１と、付加情報１１２とを、送信先情報１１１に基づいて、送信する処理内容実行手段１３０とを有することを特徴とする。【選択図】図２
2009177626.tif 000002
【特許請求の範囲】
【請求項１】
画像データを入力するためのスキャナを有する画像形成装置と、前記画像形成装置を制御するための画像形成制御アプリケーションを有する携帯電話端末と、が通信ネットワークで接続され、前記アプリケーションは、前記携帯電話端末が有する電子メールアプリケーションの操作画面と同じ操作画面を有する画像形成システムであって、
前記携帯電話端末は、前記画像形成制御アプリケーションを用いて、画像データの送信先情報と、前記画像形成制御アプリケーションの操作画面から入力された付加情報と、を前記画像形成装置に通知する処理内容通知手段と、
前記画像形成装置は、前記スキャナから入力した画像データと、前記付加情報と、を前記処理内容通知手段により通知された前記送信先情報に基づいて送信する処理内容実行手段と、を有することを特徴とする画像形成システム。
【請求項２】
画像形成装置と、前記画像形成装置を制御するための画像形成制御アプリケーションと撮像装置とを有する携帯電話端末と、が通信ネットワークで接続され、前記アプリケーションは、前記携帯電話端末が有する電子メールアプリケーションの操作画面と同じ操作画面を有する画像形成システムであって、
前記携帯電話端末は、前記画像形成制御アプリケーションを用いて、前記撮像装置から取得した画像データと、前記画像データの送信先情報と、前記画像形成制御アプリケーションの操作画面から入力された付加情報と、を前記画像形成装置に通知する処理内容通知手段と、
前記画像形成装置は、前記画像データと、前記付加情報と、を前記処理内容通知手段により通知された前記送信先情報に基づいて送信する処理内容実行手段と、を有することを特徴とする画像形成システム。
【請求項３】
前記処理内容実行手段は、前記画像データと、前記付加情報と、を電子メールで送信することを特徴とする請求項１又は請求項２に記載する画像形成システム。
【請求項４】
前記処理内容実行手段は、前記画像データと、前記付加情報と、をFAXで送信することを特徴とする請求項１又は請求項２に記載する画像形成システム。
【請求項５】
画像データを入力するためのスキャナを有する画像形成装置と、前記画像形成装置を制御するための画像形成制御アプリケーションを有する携帯電話端末と、が通信ネットワークで接続され、前記アプリケーションは、前記携帯電話端末が有する電子メールアプリケーションの操作画面と同じ操作画面を有する画像形成システムの画像形成方法であって、
前記携帯電話端末は、前記画像形成制御アプリケーションを用いて、画像データの送信先情報と、前記画像形成制御アプリケーションの操作画面から入力された付加情報と、を前記画像形成装置に通知する処理内容通知手順と、
前記画像形成装置は、前記スキャナから入力した画像データと、前記付加情報と、を前記処理内容通知手順により通知された前記送信先情報に基づいて送信する処理内容実行手順と、を有することを特徴とする画像形成方法。
【請求項６】
画像形成装置と、前記画像形成装置を制御するための画像形成制御アプリケーションと撮像装置とを有する携帯電話端末と、が通信ネットワークで接続され、前記アプリケーションは、前記携帯電話端末が有する電子メールアプリケーションの操作画面と同じ操作画面を有する画像形成システムの画像形成方法であって、
前記携帯電話端末は、前記画像形成制御アプリケーションを用いて、前記撮像装置から取得した画像データと、前記画像データの送信先情報と、前記画像形成制御アプリケーションの操作画面から入力された付加情報と、を前記画像形成装置に通知する処理内容通知手順と、
前記画像形成装置は、前記画像データと、前記付加情報と、を前記処理内容通知手順により通知された前記送信先情報に基づいて送信する処理内容実行手順と、を有することを特徴とする画像形成方法。
【請求項７】
前記処理内容実行手順は、前記画像データと、前記付加情報と、を電子メールで送信することを特徴とする請求項５又は請求項６に記載する画像形成方法。
【請求項８】
前記処理内容実行手順は、前記画像データと、前記付加情報と、をFAXで送信することを特徴とする請求項５又は請求項６に記載する画像形成方法。
【請求項９】
画像データを入力するためのスキャナを有する画像形成装置と、前記画像形成装置を制御するための画像形成制御アプリケーションを有する携帯電話端末と、が通信ネットワークで接続され、前記アプリケーションは、前記携帯電話端末が有する電子メールアプリケーションの操作画面と同じ操作画面を有する画像形成システムの画像形成プログラムであって、
コンピュータに、
前記携帯電話端末は、前記画像形成制御アプリケーションを用いて、画像データの送信先情報と、前記画像形成制御アプリケーションの操作画面から入力された付加情報と、を前記画像形成装置に通知する処理内容通知手順と、
前記画像形成装置は、前記スキャナから入力した画像データと、前記付加情報と、を前記処理内容通知手順により通知された前記送信先情報に基づいて送信する処理内容実行手順と、を実行させることを特徴とする画像形成プログラム。
【請求項１０】
画像形成装置と、前記画像形成装置を制御するための画像形成制御アプリケーションと撮像装置とを有する携帯電話端末と、が通信ネットワークで接続され、前記アプリケーションは、前記携帯電話端末が有する電子メールアプリケーションの操作画面と同じ操作画面を有する画像形成システムの画像形成プログラムであって、
コンピュータに、
前記携帯電話端末は、前記画像形成制御アプリケーションを用いて、前記撮像装置から取得した画像データと、前記画像データの送信先情報と、前記画像形成制御アプリケーションの操作画面から入力された付加情報と、を前記画像形成装置に通知する処理内容通知手順と、
前記画像形成装置は、前記画像データと、前記付加情報と、を前記処理内容通知手順により通知された前記送信先情報に基づいて送信する処理内容実行手順と、を実行させることを特徴とする画像形成プログラム。
【請求項１１】
当該画像形成装置を制御するための画像形成制御アプリケーションを有し、前記アプリケーションの操作画面と当該携帯電話端末の有する電子メールアプリケーションの操作画面とは同じである携帯電話端末であって、前記携帯電話端末と通信ネットワークで接続され、画像データを入力するためのスキャナを有する画像形成装置であって、
前記携帯電話端末が、前記画像形成制御アプリケーションを用いて通知した、画像データの送信先情報と、前記画像形成制御アプリケーションの操作画面から入力された付加情報と、を取得する処理内容取得手段と、
前記処理内容取得手段により取得した前記送信先情報に基づいて、前記スキャナから入力した画像データと、前記付加情報と、を送信する処理内容実行手段と、を有することを特徴とする画像形成装置。
【請求項１２】
当該画像形成装置を制御するための画像形成制御アプリケーションと撮像装置とを有し、前記アプリケーションの操作画面と当該携帯電話端末の有する電子メールアプリケーションの操作画面とは同じである携帯電話端末であって、前記携帯電話端末と通信ネットワークで接続された画像形成装置であって、
前記携帯電話端末が、前記画像形成制御アプリケーションを用いて通知した、前記撮像装置が取得した画像データと、前記画像データの送信先情報と、前記画像形成制御アプリケーションの操作画面から入力された付加情報と、を取得する処理内容取得手段と、
前記処理内容取得手段により取得した前記送信先情報に基づいて、前記画像データと、前記付加情報と、を送信する処理内容実行手段と、を有することを特徴とする画像形成装置。
【発明の詳細な説明】
【技術分野】
【０００１】
本発明は、スキャナ機能、FAX機能及び電子メール機能を備えた画像形成装置と携帯電話機とが通信ネットワークにより接続されているシステム全般に関するものである。
【背景技術】
【０００２】
近年、スキャナ機能、FAX機能、電子メール機能を備えた画像形成装置が普及している。こういった画像形成装置の多くは、ネットワークインタフェースを備えており、スキャナ機能を用いて読み込んだ画像データをネットワーク経由で、PC（Personal Computer）に保存し、または、画像形成装置自身から当該画像データを電子メールに添付して、送信することも可能であり、ユーザにとっては紙の原稿情報を他者に送る場合に便利な機能である。
【０００３】
しかし、上記のような画像形成装置は独自のユーザインタフェースを有しており、当該装置を初めて使用するユーザにとっては使い勝手が悪いという課題があった。また、スキャナ機能を用いて読み込んだ画像データを電子メールに添付して送信する場合も、画像形成装置に送信先アドレスを事前に登録するか、画像形成装置の操作画面から入力する必要があり、ユーザにとっては使い勝手が悪い。
【０００４】
この課題を解決することを目的としたものに特許文献１がある。この発明は、画像形成装置と携帯端末を無線通信で接続し、画像形成装置内のWebサーバにアクセスすることにより、画像形成装置のFAX送信、メール送信を、携帯端末から実行させるというものである。
【特許文献１】特開２００６−７４５６２号公報
【発明の開示】
【発明が解決しようとする課題】
【０００５】
しかし、特許文献１に記載の発明は、携帯端末上のブラウザに表示された画像形成装置のWebサーバ画面を用いて操作する必要があるため、ユーザはWebサーバ画面の使用方法を習得しなければならないという課題がある。
【０００６】
また、携帯端末上でブラウザ機能が必要となるため、ブラウザ機能を有さない携帯端末では対応できないという課題がある。
【０００７】
さらに、ユーザが原稿画像を他者に電子メールに添付して送る場合、原稿画像をスキャナ機能を用いて読み込み、その読み込んだ画像データを一旦画像形成装置内のデータベースに保存し、その後、携帯端末のブラウザ経由で電子メールを送信する操作を行うという煩雑な作業が必要となり、かつ、電子メールを作成する場合の自由度も低くなるという課題がある。
【０００８】
そこで、本発明は、上記課題に鑑み、ハードウェア上の制限が少なく、ユーザにとって操作負担の小さい、使い勝手の良い画像形成システム、画像形成装置を提供することを目的とする。
【課題を解決するための手段】
【０００９】
上記課題に鑑み、本発明に係る画像形成システムは、画像データを入力するためのスキャナを有する画像形成装置と、前記画像形成装置を制御するための画像形成制御アプリケーションを有する携帯電話端末と、が通信ネットワークで接続され、前記アプリケーションは、前記携帯電話端末が有する電子メールアプリケーションの操作画面と同じ操作画面を有する画像形成システムであって、前記携帯電話端末は、前記画像形成制御アプリケーションを用いて、画像データの送信先情報と、前記画像形成制御アプリケーションの操作画面から入力された付加情報と、を前記画像形成装置に通知する処理内容通知手段と、前記画像形成装置は、前記スキャナから入力した画像データと、前記付加情報と、を前記処理内容通知手段により通知された前記送信先情報に基づいて送信する処理内容実行手段と、を有することを特徴とする。
【００１０】
また、上記課題に鑑み、本発明に係る画像形成システムは、画像形成装置と、前記画像形成装置を制御するための画像形成制御アプリケーションと撮像装置とを有する携帯電話端末と、が通信ネットワークで接続され、前記アプリケーションは、前記携帯電話端末が有する電子メールアプリケーションの操作画面と同じ操作画面を有する画像形成システムであって、前記携帯電話端末は、前記画像形成制御アプリケーションを用いて、前記撮像装置から取得した画像データと、前記画像データの送信先情報と、前記画像形成制御アプリケーションの操作画面から入力された付加情報と、を前記画像形成装置に通知する処理内容通知手段と、前記画像形成装置は、前記画像データと、前記付加情報と、を前記処理内容通知手段により通知された前記送信先情報に基づいて送信する処理内容実行手段と、を有することを特徴とする。
【００１１】
本発明の一形態では、前記処理内容実行手段は、前記画像データと、前記付加情報と、を電子メールで送信することを特徴とする。
【００１２】
本発明の一形態では、前記処理内容実行手段は、前記画像データと、前記付加情報と、をFAXで送信することを特徴とする。
【００１３】
従って、本発明は、ハードウェア上の制限が少なく、ユーザにとって操作負担の小さい、使い勝手の良い画像形成システムを提供することができる。
【発明の効果】
【００１４】
本発明は、上記課題に鑑み、ハードウェア上の制限が少なく、ユーザにとって操作負担の小さい、使い勝手の良い画像形成システム、画像形成装置を提供することを目的とする。
【発明を実施するための最良の形態】
【００１５】
図面を参照しながら、本発明を実施するための最良の形態について説明する。
【００１６】
＜第一の実施の形態＞
（本実施の形態に係るシステム構成）
図１を用いて、本実施の形態に係る画像形成システムのシステム構成について説明する。図１は、本発明の実施の形態に係る画像形成システムの構成例を示す図である。
【００１７】
本実施の形態に係る画像形成システムは、図１に示すように、画像形成装置１と、携帯電話端末２とから構成される。画像形成装置１と、携帯電話端末２とは近距離無線通信で接続されており、携帯電話端末２から画像形成装置１に対し、電子メール機能又はFAX機能を実行する旨の命令が、近距離無線通信を通じて行われる。そして、画像形成装置１は、携帯電話端末２の命令に基づいて、公衆回線網で接続されたFAX装置３に対し、画像データをFAX送信する。または、画像形成装置１は、携帯電話端末２の命令に基づいて、LANなどの通信ネットワークで接続されたPC端末４に対し、画像データを添付した電子メールを送信する。
【００１８】
（本実施の形態の動作原理）
図２を用いて、本実施の形態に係る画像形成システムの動作原理について説明する。図２は、本実施の形態に係る画像形成システムの画像形成装置１、及び携帯電話端末２の動作原理を示す図である。
【００１９】
本実施の形態に係る画像形成システムは、画像形成装置１と、携帯電話端末２とから構成される。
【００２０】
画像形成装置１は、取得手段１１０と、画像入力手段１２０と、処理内容実行手段１３０とを有する。
【００２１】
取得手段１１０は、携帯電話端末２から、画像データの送信先情報１１１と、付加情報１１２とを取得する。ここで、送信先情報１１１とは、画像形成装置１が画像データを電子メールに添付して送信する場合は、この画像データを送信する相手先の電子メールアドレスであり、画像形成装置１が画像データをFAXで送信する場合は、この画像データを送信する相手先のFAX番号である。また、付加情報１１２とは、画像形成装置１が画像データを、電子メールに添付して送信し、又はFAXで送信する場合に、その電子メール又はFAXで送信する画像データに添付する情報である。例えば、送信相手先への連絡情報であっても良い。
【００２２】
画像入力手段１２０は、画像形成装置１のスキャナを用いて、原稿から画像データ１２１を取得する。
【００２３】
処理内容実行手段１３０は、画像入力手段１２０が入力した画像データ１２１と付加情報１１２とを、送信先情報１１１で指定される相手先に対し、電子メールで送信し、又はFAXで送信する。
【００２４】
一方、携帯電話端末２は、処理内容通知手段１４０と、記憶手段１５０と、付加情報入力手段１６０とを有する。
【００２５】
記憶手段１５０は、電子メールアドレス、FAX番号等の送信先情報１５１を記憶する装置である。例えば、携帯電話端末２のアドレス帳である。
【００２６】
付加情報入力手段１６０は、画像形成装置１に対し、画像データを添付した電子メール送信、又は画像データのFAX送信に係る実行要求を行う画像形成制御アプリケーションの操作画面において、その電子メールやFAXに添付する文字情報をユーザに入力させる。
【００２７】
処理内容通知手段１４０は、画像形成制御アプリケーションを用いて、送信先情報１５１と、付加情報１６１とを、画像形成装置１に通知する。すなわち、処理内容通知手段１４０は、画像形成装置１に対し、画像データ１２１と付加情報１６１とを、送信先情報１５１で指定される相手先へ、電子メール送信、又はFAX送信をするよう実行要求を通知する。
【００２８】
ここで、この画像形成制御アプリケーションの操作画面は、携帯電話端末２が有する電子メールアプリケーションの操作画面と同じである。そのために、ユーザは普段から使い慣れている操作画面を用いて、画像形成装置１に対し、画像データを添付した電子メールの送信や画像データのFAX送信についての実行要求を行うことが出来、付加情報１６１の入力作業の負担も軽減される。
【００２９】
以下で、本実施の形態に係る画像形成システムの処理動作を説明する。
【００３０】
はじめに、画像データを電子メールに添付して送信する「Scan to e-mail」について説明する。携帯電話端末２における画像形成制御アプリケーションの操作画面上で、画像データを送信する相手先の電子メールアドレス（送信先情報１５１）が記憶手段１５０から取得され、付加情報入力手段１６０がユーザによる付加情報１６１の入力を行わせる。そして、処理内容通知手段１４０が、送信先情報１５１と付加情報１６１とを、画像形成装置１に通知する。一方、画像形成装置１の取得手段１１０が、携帯電話端末２が通知した送信先情報１５１と付加情報１６１を取得する。また、画像入力手段１２０が、原稿の画像データ１２１を入力する。そして、処理内容実行手段１３０が、画像データ１２１と付加情報１１２とを、送信先情報１１１で指定された相手先へ、電子メールで送信する。
【００３１】
次に、画像データをFAXで送信することについて説明する。携帯電話端末２における画像形成制御アプリケーションの操作画面上で、画像データを送信する相手先のFAX番号（送信先情報１５１）が記憶手段１５０から取得され、付加情報入力手段１６０がユーザによる付加情報１６１の入力を行わせる。そして、処理内容通知手段１４０が、送信先情報１５１と付加情報１６１とを、画像形成装置１に通知する。一方、画像形成装置１の取得手段１１０が、携帯電話端末２が通知した送信先情報１５１と付加情報１６１とを取得する。また、画像入力手段１２０が、原稿の画像データ１２１を入力する。そして、処理内容実行手段１３０が、画像データ１２１と付加情報１１２とを、送信先情報１１１で指定された相手先へ、FAXで送信する。
【００３２】
（本実施の形態に係る画像形成装置のハードウェア構成）
図３を用いて、本実施の形態に係る画像形成装置１のハードウェア構成例について説明する。図３は、本実施の形態に係る画像形成システムを構成する画像形成装置１のハードウェア構成例を示す図である。
【００３３】
図３に示すように、画像形成装置１は、CPU（Central Processing Unit）２１、ROM（Read Only Memory）２２、RAM（Random Access Memory）２３、フラッシュメモリ２４、スキャナ２５、FCU（Facsimile Control Unit）２６、無線通信I/F（Interface）２７、ネットワークI/F２８、表示装置２９、本発明に直接関与しない画像形成装置機能部３０から構成される。
【００３４】
CPU２１は、ROM２２に記憶されたプログラムを実行する装置で、RAMに展開（ロード）されたデータを、プログラムの命令に従って演算処理し、画像形成装置１の全体を制御する。
【００３５】
ROM２２は、CPU２１が実行するプログラムやデータを記憶されている。
【００３６】
RAM２３は、CPU２１でROM２２に記憶されたプログラムを実行する際に、実行するプログラムやデータが展開（ロード）され、演算の間、演算データを一時的に保持する。
【００３７】
フラッシュメモリ２４は、電源を切ってもデータが消えず保存される半導体メモリのことであり、画像形成装置１のセットアップ情報等が保存されている。
【００３８】
スキャナ２５は、所定の解像度で原稿画像を読み取る装置である。
【００３９】
FCU２６は、公衆回線網に接続され、画像形成装置１内のデジタル信号と公衆回線網内のアナログ信号との変換を行い、G３プロトコルに従って公衆回線網に対してファクシミリ送受信を行う。
【００４０】
無線通信I/F２７は、携帯電話端末２と近距離無線通信を行うためのインタフェースである。例えば、Bluetooth（登録商標）規格に準拠した通信であっても良い。
【００４１】
ネットワークI/F２８は、通信ネットワークを介して接続された他の通信制御機能を備えた周辺機器と情報（データ）をやり取りするインタフェースである。本実施の形態では、LANに接続され、TCP/IP（Transmission Control Protocol / Internet Protocol）などの通信プロトコルに従ってLANとのデータやメールの送信を行う。
【００４２】
表示装置２９は、ハードキーによるキースイッチとLCD（Liquid Crystal Display）とから構成され、画像形成装置１が有する機能をユーザが利用する際に、各種設定を行うなどのユーザインタフェースとして機能する装置である。
【００４３】
本発明に直接関与しない画像形成装置機能部３０は、画像データを紙に出力するプロッタ、各種データを記憶する装置であるHDD（Hard Disk Drive）等、本発明に直接関与しない画像形成装置１の機能部である。
【００４４】
以下に、画像形成装置１の動作を説明する。
【００４５】
原稿から画像データを読み取って、その画像データを電子メールに添付して、送信する場合について説明する。まず、画像入力手段１２０が、CPU２１の命令により、スキャナ２５で原稿から画像データ１２１を読み取り、画像データ１２１をフラッシュメモリ２４に記憶する。そして、処理内容実行手段１３０が、CPU２１の命令に従い、画像データ１２１をフラッシュメモリ２４から読み出し、ネットワークI/F２８を介して、画像データ１２１を電子メールに添付して送信する。
【００４６】
次に、原稿から画像データを読み取って、その画像データをFAXで送信する場合について説明する。まず、画像入力手段１２０が、CPU２１の命令により、スキャナ２５で原稿から画像データ１２１を読み取り、画像データ１２１をフラッシュメモリ２４に記憶する。そして、処理内容実行手段１３０が、CPU２１の命令に従い、画像データ１２１をフラッシュメモリ２４から読み出し、FCU２６を介して、画像データ１２１をFAXで送信する。
【００４７】
（本実施の形態に係る携帯電話端末のハードウェア構成）
図４を用いて、本実施の形態に係る携帯電話端末２のハードウェア構成例について説明する。図４は、本実施の形態に係る画像形成システムを構成する携帯電話端末２のハードウェア構成例を示す図である。
【００４８】
図４に示すように、携帯電話端末２は、CPU３１、ROM３２、RAM３３、フラッシュメモリ３４、携帯電話通信機能部３５、無線通信I/F３６、撮像装置３７、表示装置３８、本発明に直接関与しない携帯電話機能部３９から構成される。
【００４９】
CPU３１は、ROM３２に記憶されたプログラムを実行する装置で、RAMに展開（ロード）されたデータを、プログラムの命令に従って演算処理し、携帯電話端末２の全体を制御する。
【００５０】
ROM３２は、CPU３１が実行するプログラムやデータを記憶されている。
【００５１】
RAM３３は、CPU３１でROM３２に記憶されたプログラムを実行する際に、実行するプログラムやデータが展開（ロード）され、演算の間、演算データを一時的に保持する。
【００５２】
フラッシュメモリ３４は、電源を切ってもデータが消えず保存される半導体メモリのことであり、携帯電話端末２のセットアップ情報等が保存されている。
【００５３】
携帯電話通信機能部３５は、携帯電話端末２を使った通話のような、従来、携帯電話端末２に使用されてきた無線送受信を行う機能を有する。
【００５４】
無線通信I/F３６は、画像形成装置１と近距離無線通信を行うためのインタフェースである。例えば、Bluetooth（登録商標）規格に準拠した通信であっても良い。
【００５５】
撮像装置３７は、所定の解像度で被写体の像を画像データとして取得する装置である。
【００５６】
表示装置３８は、ハードキーによるキースイッチとLCDとから構成され、携帯電話端末２が有する機能をユーザが利用する際に、各種設定を行うなどのユーザインタフェースとして機能する装置である。
【００５７】
本発明に直接関与しない携帯電話端末機能部３９は、本発明に直接関与しない携帯電話端末２の機能部である。
【００５８】
以下に、携帯電話端末２の動作を説明する。
【００５９】
CPU３１が画像形成制御アプリケーションを実行し、付加情報入力手段１６０は、表示装置３８に表示された当該アプリケーションの操作画面から付加情報１６１の入力をユーザに行わせる。そして、処理内容通知手段１４０が、記憶手段１５０から取得した送信先情報１５１と付加情報１６１とを、無線通信I/F３６を介して、画像形成装置１に通知する。
【００６０】
（本実施の形態）
図５、図６、図７、図８を用いて、本実施の形態について説明する。図５は、本発明に係る処理開始時の画像形成装置１における処理手順を示すフローチャートである。図６は、本発明に係る処理開始時の携帯電話端末２における処理手順を示すフローチャートである。図７は、電子メール送信時の画像形成装置１と携帯電話端末２の処理手順と双方の関係を示すフローチャートである。図８は、FAX送信時の画像形成装置１と携帯電話端末２の処理手順と双方の関係を示すフローチャートである。
【００６１】
なお、本実施の形態における画像形成装置１と携帯電話端末２とは、Bluetooth（登録商標）規格に準拠した通信方式による通信ネットワークで接続されているものとする。
【００６２】
（１）処理開始時の画像形成装置側の処理手順
図５を用いて、本実施の形態に係る処理開始時の画像形成装置１の処理手順について説明する。
【００６３】
Ｓ５１で画像形成装置１の処理が開始される。Ｓ５２でユーザによる携帯電話連携機能が選択された場合（Ｓ５２でYesの場合）で、かつ、Ｓ５３で電子メール機能が選択された場合は、画像形成装置１の携帯電話連携の電子メールアプリケーションが起動する。
【００６４】
Ｓ５２でユーザによる携帯電話連携機能が選択された場合（Ｓ５２でYesの場合）で、かつ、Ｓ５３でFAX機能が選択された場合は、画像形成装置１の携帯電話連携のFAXアプリケーションが起動する。
【００６５】
Ｓ５２でユーザによる携帯電話連携機能が選択されない場合（Ｓ５２でNoの場合）は、画像形成装置１はユーザによる当該機能の選択操作待ちの状態となる。
【００６６】
（２）処理開始時の携帯電話端末側の処理手順
図６を用いて、本実施の形態に係る処理開始時の携帯電話端末２の処理手順について説明する。
【００６７】
Ｓ６１で携帯電話端末２の処理が開始される。Ｓ６２でユーザによる画像形成装置連携機能が選択された場合（Ｓ６２でYesの場合）で、かつ、Ｓ６３で電子メール機能が選択された場合は、携帯電話端末２の画像形成装置連携の電子メールアプリケーションが起動する。
【００６８】
Ｓ６２でユーザによる画像形成装置連携機能が選択された場合（Ｓ６２でYesの場合）で、かつ、Ｓ６３でFAX機能が選択された場合は、携帯電話端末２の画像形成装置連携のFAXアプリケーションが起動する。
【００６９】
Ｓ６２でユーザによる画像形成装置連携機能が選択されない場合（Ｓ６２でNoの場合）は、携帯電話端末２はユーザによる当該機能の選択操作待ちの状態となる。
【００７０】
（３）電子メール送信時の処理手順
図７を用いて、本実施の形態に係る電子メール送信時の画像形成装置１と携帯電話端末２との処理手順について説明する。
【００７１】
（ｉ）画像形成装置側の処理手順
最初に、画像形成装置１の処理手順を説明する。また、画像形成装置１では、先に述べた携帯電話連携の電子メールアプリケーションが既に起動している。Ｓ１０１で画像形成装置１は処理を開始する。
【００７２】
Ｓ１０２で画像形成装置１は、携帯電話端末２からのBluetooth（登録商標）接続待ちの状態となる。Ｓ１０３で携帯電話端末２からのBluetooth（登録商標）接続要求に応答し、接続が確立された場合（Ｓ１０３でYesの場合）は、Ｓ１０４で画像形成装置１は、携帯電話端末２からの送信先情報１１１と付加情報１１２の受信待ち状態となる。
【００７３】
一方、Ｓ１０３で携帯電話端末２とのBluetooth（登録商標）接続が未だ確立されていない場合（Ｓ１０３でNoの場合）は、Ｓ１０２で画像形成装置１は、携帯電話端末２からのBluetooth（登録商標）接続待ちの状態となる。
【００７４】
Ｓ１０５で画像形成装置１の取得手段１１０が、送信先情報１１１と付加情報１１２とを取得した場合（Ｓ１０５でYesの場合）であり、かつ、Ｓ１０６でスキャナ２５に原稿がセットされている場合（Ｓ１０６でYesの場合）は、Ｓ１０７で画像入力手段１２０が原稿の画像データ１２１を入力する。
【００７５】
Ｓ１０５で画像形成装置１の取得手段１１０が、送信先情報１１１と付加情報１１２とを取得した場合（Ｓ１０５でYesの場合）であり、かつ、Ｓ１０６でスキャナ２５に原稿がセットされていない場合（Ｓ１０６でNoの場合）は、Ｓ１０８で画像形成装置１は、表示装置２９を用いて、ユーザに原稿がスキャナ２５にセットされていない旨の通知を行う。
【００７６】
Ｓ１０５で画像形成装置１の取得手段１１０が、送信先情報１１１と付加情報１１２とをまだ取得していない場合（Ｓ１０５でNoの場合）は、Ｓ１０４で画像形成装置１は、携帯電話端末２からの送信先情報１１１と付加情報１１２の受信待ち状態となる。
【００７７】
Ｓ１０９で処理内容実行手段１３０は、送信先情報１１１で指定される電子メールアドレスへ、画像入力手段１２０が入力した画像データ１２１と付加情報１１２とを、電子メールに添付して送信する。
【００７８】
Ｓ１１０で処理内容実行手段１３０が正常に電子メール送信を完了した場合（Ｓ１１０でYesの場合）は、Ｓ１１１で画像形成装置１は、表示装置２９に電子メール送信処理が正常に完了した旨を表示し、更に、その旨を携帯電話端末２にも通知し、Ｓ１１３で画像形成装置１は処理を終了する。
【００７９】
一方、Ｓ１１０で処理内容実行手段１３０が正常に電子メール送信を完了しなかった場合（Ｓ１１０でNoの場合）は、Ｓ１１２で画像形成装置１は、表示装置２９に電子メール送信処理が正常に完了しなかった旨を表示し、更に、その旨を携帯電話端末２に通知し、Ｓ１１３で画像形成装置１は処理を終了する。
【００８０】
（ｉｉ）携帯電話端末側の処理手順
次に、携帯電話端末２の処理手順を説明する。また、携帯電話端末２では、先に述べた画像形成装置連携の電子メールアプリケーションが既に起動している。Ｓ１２１で携帯電話端末２は処理を開始する。
【００８１】
Ｓ１２２で付加情報入力手段１６０が、付加情報１６１の入力をユーザに行わせ、その入力が終了した場合（Ｓ１２２でYesの場合）は、Ｓ１２３で携帯電話端末２は画像形成装置１に対しBluetooth（登録商標）接続要求を行う。Ｓ１２２でユーザの入力が終了していない場合（Ｓ１２２でNoの場合）は、Ｓ１２２で入力完了待ちの状態となる。
【００８２】
Ｓ１２４で画像形成装置１からBluetooth（登録商標）接続応答があり、接続が確立された場合（Ｓ１２４でYesの場合）は、Ｓ１２５で処理内容通知手段１４０は、送信先情報１５１と付加情報１６１とを、画像形成装置１に通知する。
【００８３】
Ｓ１２４で画像形成装置１との接続が未だ確立されていない場合（Ｓ１２４でNoの場合）は、Ｓ１２３で携帯電話端末２は画像形成装置１に対しBluetooth（登録商標）接続要求を行う。Ｓ１２６で携帯電話端末２は、画像形成装置１からのステータス情報の通知待ちの状態となる。
【００８４】
Ｓ１２７で携帯電話端末２が、画像形成装置１からの電子メール送信処理が完了した旨の通知を取得した場合（Ｓ１２７でYesの場合）に、Ｓ１２８で携帯電話端末２は、画像形成装置１から通知された情報を表示装置３８に表示する。
【００８５】
一方、Ｓ１２７で携帯電話端末２が、画像形成装置１からの電子メール送信処理が完了した旨の通知を取得していない場合（Ｓ１２７でNoの場合）は、Ｓ１２６で携帯電話端末２は、画像形成装置１からのステータス情報の通知待ちの状態となる。
【００８６】
そして、Ｓ１２９で携帯電話端末２は、画像形成装置１に対し、Bluetooth（登録商標）接続の切断要求を行い、画像形成装置１からの切断応答があった後、Bluetooth（登録商標）接続を切断し、Ｓ１３０で処理を終了する。
【００８７】
これにより、ハードウェア上の制限が少なく、ユーザにとって操作負担の小さい、使い勝手の良い画像形成システムを提供することができる。
【００８８】
（４）FAX送信時の処理手順
図８を用いて、本実施の形態に係るFAX送信時の画像形成装置１と携帯電話端末２との処理手順について説明する。
【００８９】
（ｉ）画像形成装置側の処理手順
最初に、画像形成装置１の処理手順を説明する。また、画像形成装置１では、先に述べた携帯電話連携のFAXアプリケーションが既に起動している。Ｓ１４１で画像形成装置１は処理を開始する。Ｓ１４２で画像形成装置１は、携帯電話端末２からのBluetooth（登録商標）接続待ちの状態となる。
【００９０】
Ｓ１４３で携帯電話端末２からのBluetooth（登録商標）接続要求に応答し、接続が確立された場合（Ｓ１４３でYesの場合）は、Ｓ１４４で画像形成装置１は、携帯電話端末２からの送信先情報１１１と付加情報１１２の受信待ち状態となる。
【００９１】
一方、Ｓ１４３で携帯電話端末２とのBluetooth（登録商標）接続が未だ確立されていない場合（Ｓ１４３でNoの場合）は、Ｓ１４２で画像形成装置１は、携帯電話端末２からのBluetooth（登録商標）接続待ちの状態となる。
【００９２】
Ｓ１４５で画像形成装置１の取得手段１１０が、送信先情報１１１と付加情報１１２とを取得した場合（Ｓ１４５でYesの場合）であり、かつ、Ｓ１４６でスキャナ２５に原稿がセットされている場合（Ｓ１４６でYesの場合）は、Ｓ１４７で画像入力手段１２０が原稿の画像データ１２１を入力する。
【００９３】
Ｓ１４５で画像形成装置１の取得手段１１０が、送信先情報１１１と付加情報１１２とを取得した場合（Ｓ１４５でYesの場合）であり、かつ、Ｓ１４６でスキャナ２５に原稿がセットされていない場合（Ｓ１４６でNoの場合）は、Ｓ１４８で画像形成装置１は、表示装置２９を用いて、ユーザに原稿がスキャナ２５にセットされていない旨の通知を行う。
【００９４】
Ｓ１４５で画像形成装置１の取得手段１１０が、送信先情報１１１と付加情報１１２とをまだ取得していない場合（Ｓ１４５でNoの場合）は、Ｓ１４４で画像形成装置１は、携帯電話端末２からの送信先情報１１１と付加情報１１２の受信待ち状態となる。
【００９５】
Ｓ１４９で処理内容実行手段１３０は、送信先情報１１１で指定されるFAX番号へ、画像入力手段１２０が入力した画像データ１２１と付加情報１１２とを、FAXで送信する。
【００９６】
Ｓ１５０で処理内容実行手段１３０が正常にFAX送信を完了した場合（Ｓ１５０でYesの場合）は、Ｓ１５１で画像形成装置１は、表示装置２９にFAX送信処理が正常に完了した旨を表示し、更に、その旨を携帯電話端末２にも通知し、Ｓ１５３で画像形成装置１は処理を終了する。
【００９７】
一方、Ｓ１５０で処理内容実行手段１３０が正常にFAX送信を完了しなかった場合（Ｓ１５０でNoの場合）は、Ｓ１５２で画像形成装置１は、表示装置２９にFAX送信処理が正常に完了しなかった旨を表示し、更に、その旨を携帯電話端末２に通知し、Ｓ１５３で画像形成装置１は処理を終了する。
【００９８】
（ｉｉ）携帯電話端末側の処理手順
次に、携帯電話端末２の処理手順を説明する。また、携帯電話端末２では、先に述べた画像形成装置連携のFAXアプリケーションが既に起動している。Ｓ１６１で携帯電話端末２は処理を開始する。
【００９９】
Ｓ１６２で付加情報入力手段１６０が、付加情報１６１の入力をユーザに行わせ、その入力が終了した場合（Ｓ１６２でYesの場合）は、Ｓ１６３で携帯電話端末２は画像形成装置１に対しBluetooth（登録商標）接続要求を行う。Ｓ１６２でユーザの入力が終了していない場合（Ｓ１６２でNoの場合）は、Ｓ１６２で入力完了待ちの状態となる。
【０１００】
Ｓ１６４で画像形成装置１からBluetooth（登録商標）接続応答があり、接続が確立された場合（Ｓ１６４でYesの場合）は、Ｓ１６５で処理内容通知手段１４０は、送信先情報１５１と付加情報１６１とを、画像形成装置１に通知する。
【０１０１】
Ｓ１６４で画像形成装置１との接続が未だ確立されていない場合（Ｓ１６４でNoの場合）は、Ｓ１６３で携帯電話端末２は画像形成装置１に対しBluetooth（登録商標）接続要求を行う。Ｓ１６６で携帯電話端末２は、画像形成装置１からのステータス情報の通知待ちの状態となる。
【０１０２】
Ｓ１６７で携帯電話端末２が、画像形成装置１からのFAX送信処理が完了した旨の通知を取得した場合（Ｓ１６７でYesの場合）に、Ｓ１６８で携帯電話端末２は、画像形成装置１から通知された情報を表示装置３８に表示する。
【０１０３】
一方、Ｓ１６７で携帯電話端末２が、画像形成装置１からのFAX送信処理が完了した旨の通知を取得していない場合（Ｓ１６７でNoの場合）は、Ｓ１６６で携帯電話端末２は、画像形成装置１からのステータス情報の通知待ちの状態となる。
【０１０４】
そして、Ｓ１６９で携帯電話端末２は、画像形成装置１に対し、Bluetooth（登録商標）接続の切断要求を行い、画像形成装置１からの切断応答があった後、Bluetooth（登録商標）接続を切断し、Ｓ１７０で処理を終了する。
【０１０５】
これにより、ハードウェア上の制限が少なく、ユーザにとって操作負担の小さい、使い勝手の良い画像形成システムを提供することができる。
【０１０６】
＜第二の実施の形態＞
（本実施の形態に係るシステム構成）
本実施の形態に係る画像形成システムは、図１に示すように、画像形成装置１と、携帯電話端末２とから構成され、第一の実施の形態とシステム構成は同じである。
【０１０７】
ただし、第一の実施の形態では、画像データの入力が画像形成装置１で行われるのに対し、第二の実施の形態では、携帯電話端末２が有する撮像装置３７を用いて画像データを取得し、その画像データを画像形成装置１に転送する点が、相違する。
【０１０８】
画像形成装置１と、携帯電話端末２とは近距離無線通信で接続されており、携帯電話端末２から画像形成装置１に対し、電子メール機能又はFAX機能を実行する旨の命令が、近距離無線通信を通じて行われる。そして、画像形成装置１は、携帯電話端末２の命令に基づいて、公衆回線網で接続されたFAX装置３に対し、画像データをFAX送信する。または、画像形成装置１は、携帯電話端末２の命令に基づいて、LANなどの通信ネットワークで接続されたPC端末４に対し、画像データを添付した電子メールを送信する。
【０１０９】
（本実施の形態の動作原理）
図９を用いて、本実施の形態に係る画像形成システムの動作原理について説明する。図９は、本実施の形態に係る画像形成システム報処理装置１、及び携帯電話端末２の動作原理を示す図である。
【０１１０】
本実施の形態に係る画像形成システムは、画像形成装置１と、携帯電話端末２とから構成される。
【０１１１】
画像形成装置１は、取得手段２１０と、処理内容実行手段２３０とを有する。
【０１１２】
取得手段１１０は、携帯電話端末２から、画像データの送信先情報２１１と、付加情報２１２と、画像データ２１３とを取得する。ここで、送信先情報２１１とは、画像形成装置１が画像データを電子メールに添付して送信する場合は、この画像データを送信する相手先の電子メールアドレスであり、画像形成装置１が画像データをFAXで送信する場合は、この画像データを送信する相手先のFAX番号である。また、付加情報２１２とは、画像形成装置１が画像データを、電子メールに添付して送信し、又はFAXで送信する場合に、その電子メール又はFAXで送信する画像データに添付する文字情報である。
【０１１３】
処理内容実行手段２３０は、画像データ２１３と付加情報２１２とを、送信先情報２１１で指定される相手先に対し、電子メールで送信し、又はFAXで送信する。
【０１１４】
一方、携帯電話端末２は、処理内容通知手段２４０と、記憶手段２５０と、付加情報入力手段２６０と、画像取得手段２７０とを有する。
【０１１５】
記憶手段２５０は、電子メールアドレス、FAX番号等の送信先情報２５１を記憶する装置である。例えば、携帯電話端末２のアドレス帳である。
【０１１６】
付加情報入力手段２６０は、画像形成装置１に対し、画像データを添付した電子メール送信、又は画像データのFAX送信に係る実行要求を行う画像形成制御アプリケーションの操作画面において、その電子メールやFAXに添付する文字情報をユーザに入力させる。
【０１１７】
画像取得手段２７０は、携帯電話が有する撮像装置３７を用いて、被写体の像を画像データ２７１として取得する。
【０１１８】
処理内容通知手段２４０は、画像形成制御アプリケーションを用いて、送信先情報２５１と、付加情報２６１と、画像データ２７１とを、画像形成装置１に通知する。すなわち、処理内容通知手段２４０は、画像形成装置１に対し、画像データ２１３と付加情報２１２とを、送信先情報２１１で指定される相手先へ、電子メール送信、又はFAX送信をするよう実行要求を通知する。
【０１１９】
以下で、本実施の形態に係る画像形成システムの処理動作を説明する。
【０１２０】
はじめに、画像データを電子メールに添付して送信する「Scan to e-mail」について説明する。携帯電話端末２における画像形成制御アプリケーションの操作画面上で、画像データを送信する相手先の電子メールアドレス（送信先情報２５１）が記憶手段２５０から取得され、付加情報入力手段２６０がユーザによる付加情報２６１の入力を行わせる。また、画像取得手段２７０が、画像データ２７１を取得する。そして、処理内容通知手段２４０が、送信先情報２５１と付加情報２６１と画像データ２７１とを、画像形成装置１に通知する。一方、画像形成装置１の取得手段２１０が、携帯電話端末２が通知した送信先情報２５１と付加情報２６１と画像データ２７１とを取得する。そして、処理内容実行手段２３０が、画像データ２１３と付加情報２１２とを、送信先情報２１１で指定された相手先へ、電子メールで送信する。
【０１２１】
次に、画像データをFAXで送信することについて説明する。携帯電話端末２における画像形成制御アプリケーションの操作画面上で、画像データを送信する相手先のFAX番号（送信先情報２５１）が記憶手段２５０から取得され、付加情報入力手段２６０がユーザによる付加情報２６１の入力を行わせる。また、画像取得手段２７０が、画像データ２７１を取得する。そして、処理内容通知手段２４０が、送信先情報２５１と付加情報２６１と画像データ２７１とを、画像形成装置１に通知する。一方、画像形成装置１の取得手段２１０が、携帯電話端末２が通知した送信先情報２５１と付加情報２６１と画像データ２７１とを取得する。そして、処理内容実行手段２３０が、画像データ２１３と付加情報２１２とを、送信先情報２１１で指定された相手先へ、FAXで送信する。
【０１２２】
なお、第二の実施の形態における画像形成装置１と携帯電話端末２の各ハードウェア構成は、第一の実施の形態と同様であるため、ここでは説明を省略する。
【０１２３】
（本実施の形態）
図１０、図１１を用いて、本実施の形態について説明する。図１０は、電子メール送信時の画像形成装置１と携帯電話端末２の処理手順と双方の関係を示すフローチャートである。図１１は、FAX送信時の画像形成装置１と携帯電話端末２の処理手順と双方の関係を示すフローチャートである。
【０１２４】
なお、本実施の形態における画像形成装置１と携帯電話端末２とは、Bluetooth（登録商標）規格に準拠した通信方式による通信ネットワークで接続されているものとする。
【０１２５】
また、第二の実施の形態における、処理開始時の画像形成装置１側の処理手順、及び処理開始時の携帯電話端末２側の処理手順については、第一の実施の形態における各処理手順と同じであるため、ここでの説明は省略する。
【０１２６】
（１）電子メール送信時の処理手順
図１０を用いて、本実施の形態に係る電子メール送信時の画像形成装置１と携帯電話端末２との処理手順について説明する。
【０１２７】
（ｉ）画像形成装置側の処理手順
最初に、画像形成装置１の処理手順を説明する。また、画像形成装置１では、先に述べた携帯電話連携の電子メールアプリケーションが既に起動している。Ｓ２０１で画像形成装置１は処理を開始する。Ｓ２０２で画像形成装置１は、携帯電話端末２からのBluetooth（登録商標）接続待ちの状態となる。
【０１２８】
Ｓ２０３で携帯電話端末２からのBluetooth（登録商標）接続要求に応答し、接続が確立された場合（Ｓ２０３でYesの場合）は、Ｓ２０４で画像形成装置１は、携帯電話端末２からの送信先情報２１１と付加情報２１２と画像データ２１３の受信待ち状態となる。
【０１２９】
一方、Ｓ２０３で携帯電話端末２とのBluetooth（登録商標）接続が未だ確立されていない場合（Ｓ２０３でNoの場合）は、Ｓ２０２で画像形成装置１は、携帯電話端末２からのBluetooth（登録商標）接続待ちの状態となる。
【０１３０】
Ｓ２０５で画像形成装置１の取得手段２１０が、送信先情報２１１と付加情報２１２と画像データ２１３を取得した場合（Ｓ２０５でYesの場合）は、Ｓ２０６で処理内容実行手段２３０は、送信先情報２１１で指定される電子メールアドレスへ、画像データ２１３と付加情報２１２とを、電子メールに添付して送信する。
【０１３１】
Ｓ２０５で画像形成装置１の取得手段２１０が、送信先情報２１１と付加情報２１２と画像データ２１３とをまだ取得していない場合（Ｓ２０５でNoの場合）は、Ｓ２０４で画像形成装置１は、携帯電話端末２からの送信先情報２１１と付加情報２１２と画像データ２１３の受信待ち状態となる。
【０１３２】
Ｓ２０７で処理内容実行手段２３０が正常に電子メール送信を完了した場合（Ｓ２０７でYesの場合）は、Ｓ２０８で画像形成装置１は、表示装置２９に電子メール送信処理が正常に完了した旨を表示し、更に、その旨を携帯電話端末２にも通知し、Ｓ２１０で画像形成装置１は処理を終了する。
【０１３３】
一方、Ｓ２０７で処理内容実行手段２３０が正常に電子メール送信を完了しなかった場合（Ｓ２０７でNoの場合）は、Ｓ２０９で画像形成装置１は、表示装置２９に電子メール送信処理が正常に完了しなかった旨を表示し、更に、その旨を携帯電話端末２に通知し、Ｓ２１０で画像形成装置１は処理を終了する。
【０１３４】
（ｉｉ）携帯電話端末側の処理手順
次に、携帯電話端末２の処理手順を説明する。また、携帯電話端末２では、先に述べた画像形成装置連携の電子メールアプリケーションが既に起動している。Ｓ２２１で携帯電話端末２は処理を開始する。
【０１３５】
Ｓ２２２で画像取得手段２７０が画像データ２７１を取得し、更に、付加情報入力手段２６０が付加情報２６１の入力をユーザに行わせ、その入力が終了した場合（Ｓ２２２でYesの場合）は、Ｓ２２３で携帯電話端末２は画像形成装置１に対しBluetooth（登録商標）接続要求を行う。
【０１３６】
Ｓ２２２でユーザの入力が終了していない場合（Ｓ２２２でNoの場合）は、Ｓ２２２で入力完了待ちの状態となる。
【０１３７】
Ｓ２２４で画像形成装置１からBluetooth（登録商標）接続応答があり、接続が確立された場合（Ｓ２２４でYesの場合）は、Ｓ２２５で処理内容通知手段２４０は、送信先情報２５１と付加情報２６１と画像データ２７１とを、画像形成装置１に通知する。
【０１３８】
Ｓ２２４で画像形成装置１との接続が未だ確立されていない場合（Ｓ２２４でNoの場合）は、Ｓ２２３で携帯電話端末２は画像形成装置１に対しBluetooth（登録商標）接続要求を行う。Ｓ２２６で携帯電話端末２は、画像形成装置１からのステータス情報の通知待ちの状態となる。
【０１３９】
Ｓ２２７で携帯電話端末２が、画像形成装置１からの電子メール送信処理が完了した旨の通知を取得した場合（Ｓ２２７でYesの場合）に、Ｓ２２８で携帯電話端末２は、画像形成装置１から通知された情報を表示装置３８に表示する。
【０１４０】
一方、Ｓ２２７で携帯電話端末２が、画像形成装置１からの電子メール送信処理が完了した旨の通知を取得していない場合（Ｓ２２７でNoの場合）は、Ｓ２２６で携帯電話端末２は、画像形成装置１からのステータス情報の通知待ちの状態となる。
【０１４１】
そして、Ｓ２２９で携帯電話端末２は、画像形成装置１に対し、Bluetooth（登録商標）接続の切断要求を行い、画像形成装置１からの切断応答があった後、Bluetooth（登録商標）接続を切断し、Ｓ２３０で処理を終了する。
【０１４２】
これにより、ハードウェア上の制限が少なく、ユーザにとって操作負担の小さい、使い勝手の良い画像形成システムを提供することができる。
【０１４３】
（４）FAX送信時の処理手順
図１１を用いて、本実施の形態に係るFAX送信時の画像形成装置１と携帯電話端末２との処理手順について説明する。
【０１４４】
（ｉ）画像形成装置側の処理手順
最初に、画像形成装置１の処理手順を説明する。また、画像形成装置１では、先に述べた携帯電話連携のFAXアプリケーションが既に起動している。Ｓ２４１で画像形成装置１は処理を開始する。Ｓ２４２で画像形成装置１は、携帯電話端末２からのBluetooth（登録商標）接続待ちの状態となる。
【０１４５】
Ｓ２４３で携帯電話端末２からのBluetooth（登録商標）接続要求に応答し、接続が確立された場合（Ｓ２４３でYesの場合）は、Ｓ２４４で画像形成装置１は、携帯電話端末２からの送信先情報２１１と付加情報２１２と画像データ２１３の受信待ち状態となる。
【０１４６】
一方、Ｓ２４３で携帯電話端末２とのBluetooth（登録商標）接続が未だ確立されていない場合（Ｓ２４３でNoの場合）は、Ｓ２４２で画像形成装置１は、携帯電話端末２からのBluetooth（登録商標）接続待ちの状態となる。
【０１４７】
Ｓ２４５で画像形成装置１の取得手段２１０が、送信先情報２１１と付加情報２１２と画像データ２１３とを取得した場合（Ｓ２４５でYesの場合）は、Ｓ２４６で処理内容実行手段２３０が、送信先情報２１１で指定されるFAX番号へ、画像データ２１３と付加情報２１２とを、FAXで送信する。
【０１４８】
Ｓ２４５で画像形成装置１の取得手段２１０が、送信先情報２１１と付加情報２１２と画像データ２１３とをまだ取得していない場合（Ｓ２４５でNoの場合）は、Ｓ２４４で画像形成装置１は、携帯電話端末２からの送信先情報１１１と付加情報１１２と画像データ２１３の受信待ち状態となる。
【０１４９】
Ｓ２４７で処理内容実行手段１３０が正常にFAX送信を完了した場合（Ｓ２４７でYesの場合）は、Ｓ２４８で画像形成装置１は、表示装置２９にFAX送信処理が正常に完了した旨を表示し、更に、その旨を携帯電話端末２にも通知し、Ｓ２５０で画像形成装置１は処理を終了する。
【０１５０】
一方、Ｓ２４７で処理内容実行手段２３０が正常にFAX送信を完了しなかった場合（Ｓ２４７でNoの場合）は、Ｓ２４９で画像形成装置１は、表示装置２９にFAX送信処理が正常に完了しなかった旨を表示し、更に、その旨を携帯電話端末２に通知し、Ｓ２５０で画像形成装置１は処理を終了する。
【０１５１】
（ｉｉ）携帯電話端末側の処理手順
次に、携帯電話端末２の処理手順を説明する。また、携帯電話端末２では、先に述べた画像形成装置連携のFAXアプリケーションが既に起動している。Ｓ２６１で携帯電話端末２は処理を開始する。
【０１５２】
Ｓ２６２で画像取得手段２７０が画像データ２７１を取得し、更に、付加情報入力手段２６０が、付加情報２６１の入力をユーザに行わせ、その入力が終了した場合（Ｓ２６２でYesの場合）は、Ｓ２６３で携帯電話端末２は画像形成装置１に対しBluetooth（登録商標）接続要求を行う。Ｓ２６２でユーザの入力が終了していない場合（Ｓ２６２でNoの場合）は、Ｓ２６２で入力完了待ちの状態となる。
【０１５３】
Ｓ２６４で画像形成装置１からBluetooth（登録商標）接続応答があり、接続が確立された場合（Ｓ２６４でYesの場合）は、Ｓ２６５で処理内容通知手段２４０は、送信先情報２５１と付加情報２６１と画像データ２７１とを、画像形成装置１に通知する。
【０１５４】
Ｓ２６４で画像形成装置１との接続が未だ確立されていない場合（Ｓ２６４でNoの場合）は、Ｓ２６３で携帯電話端末２は画像形成装置１に対しBluetooth（登録商標）接続要求を行う。Ｓ２６６で携帯電話端末２は、画像形成装置１からのステータス情報の通知待ちの状態となる。
【０１５５】
Ｓ２６７で携帯電話端末２が、画像形成装置１からのFAX送信処理が完了した旨の通知を取得した場合（Ｓ２６７でYesの場合）に、Ｓ２６８で携帯電話端末２は、画像形成装置１から通知された情報を表示装置３８に表示する。
【０１５６】
一方、Ｓ２６７で携帯電話端末２が、画像形成装置１からのFAX送信処理が完了した旨の通知を取得していない場合（Ｓ２６７でNoの場合）は、Ｓ２６６で携帯電話端末２は、画像形成装置１からのステータス情報の通知待ちの状態となる。
【０１５７】
そして、Ｓ２６９で携帯電話端末２は、画像形成装置１に対し、Bluetooth（登録商標）接続の切断要求を行い、画像形成装置１からの切断応答があった後、Bluetooth（登録商標）接続を切断し、Ｓ２７０で処理を終了する。
【０１５８】
これにより、ハードウェア上の制限が少なく、ユーザにとって操作負担の小さい、使い勝手の良い画像形成システムを提供することができる。
【０１５９】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【０１６０】
【図１】本発明の実施の形態に係る画像形成システムの構成例を示す図である。
【図２】第一の実施の形態に係る画像形成システムの画像形成装置及び携帯電話端末の動作原理を示す図である。
【図３】本実施の形態に係る画像形成装置のハードウェア構成例を示す図である。
【図４】本実施の形態に係る携帯電話端末のハードウェア構成例を示す図である。
【図５】本実施の形態に係る処理開始時の画像形成装置における処理手順を示すフローチャートである。
【図６】本実施の形態に係る処理開始時の携帯電話端末における処理手順を示すフローチャートである。
【図７】第一の実施の形態に係る電子メール送信時の画像形成装置と携帯電話端末の処理手順と双方の関係を示すフローチャートである。
【図８】第一の実施の形態に係るFAX送信時の画像形成装置と携帯電話端末の処理手順と双方の関係を示すフローチャートである。
【図９】第二の実施の形態に係る画像形成システムの画像形成装置及び携帯電話端末の動作原理を示す図である。
【図１０】第二の実施の形態に係る電子メール送信時の画像形成装置と携帯電話端末の処理手順と双方の関係を示すフローチャートである。
【図１１】第二の実施の形態に係るFAX送信時の画像形成装置と携帯電話端末の処理手順と双方の関係を示すフローチャートである。
【符号の説明】
【０１６１】
１      画像形成装置
２      携帯電話端末
１１０  取得手段
１１１、１５１  送信先情報
１１２、１６１  付加情報
１２０  画像入力手段
１２１  画像データ
１３０  処理内容実行手段
１４０  処理内容通知手段
１５０  記憶手段
１６０  付加情報入力手段
２１０  取得手段
２１１、２５１  送信先情報
２１２、２６１  付加情報
２１３、２７１  画像データ
２３０  処理内容実行手段
２４０  処理内容通知手段
２５０  記憶手段
２６０  付加情報入力手段
２７０  画像取得手段
【図１】
2009177626.tif 000003
【図２】
2009177626.tif 000004
【図３】
2009177626.tif 000005
【図４】
2009177626.tif 000006
【図５】
2009177626.tif 000007
【図６】
2009177626.tif 000008
【図７】
2009177626.tif 000009
【図８】
2009177626.tif 000010
【図９】
2009177626.tif 000011
【図１０】
2009177626.tif 000012
【図１１】
2009177626.tif 000013